(57)【要約】【課題】家具どうしを容易かつ確実に連結し、家具の位置ずれを防ぐ。【解決手段】家具システムは、互いに隣接配置される複数の家具１０１と、複数の家具１０１どうしを連結する連結プレート２００と、を備え、互いに隣接する二つの家具１０１の少なくとも一方は、隣接する他の家具１０１に対向する外側面に弾性変形可能なクッション部１０２ｃを有し、連結プレート２００は、両端部に、それぞれの家具１０１に連結される連結部２０１、２０５を有し、連結プレート２００において少なくとも一端部の連結部２０１は、互いに隣接する二つの家具どうし１０１を接近させる方向にクッション部１０２ｃを圧縮変形させた状態で家具１０１に係合・離脱可能とされ、圧縮変形したクッション部１０２ｃが復元する方向に変形した状態で、家具１０１に対する係合状態が拘束されるようにした。【選択図】図２１
2015142683.tif 000002
【特許請求の範囲】
【請求項１】
互いに隣接配置される複数の家具と、
複数の前記家具どうしを連結する連結部材と、を備え、
互いに隣接する二つの前記家具の少なくとも一方は、隣接する他の前記家具に対向する外側面に弾性変形可能なクッション部を有し、
前記連結部材は、両端部に、それぞれの前記家具に連結される連結部を有し、
前記連結部材において少なくとも一端部の前記連結部は、互いに隣接する二つの前記家具どうしを接近させる方向に前記クッション部を圧縮変形させた状態で前記家具に係合・離脱可能とされ、圧縮変形した前記クッション部が復元する方向に変形した状態で、前記家具に対する係合状態が拘束されることを特徴とする家具システム。
【請求項２】
互いに隣接する前記家具の一方に、前記連結部材が係合する係合部材が設けられ、
前記連結部は、互いに隣接する二つの前記家具どうしを接近させる方向に前記クッション部を圧縮変形させた状態で前記係合部材が挿入される挿入部と、
前記挿入部に連続して形成され、前記挿入部に対して前記家具どうしが離間する方向に拡開し、前記係合部材が係合する係合部と、を備えることを特徴とする請求項１に記載の家具システム。
【請求項３】
前記連結部材の他端部が、互いに隣接する家具の他方に回動自在に連結されていることを特徴とする請求項２に記載の家具システム。
【請求項４】
前記係合部材は、前記連結部材が前記家具の高さ方向に変位可能な状態で係合する変位許容部を有していることを特徴とする請求項２または３に記載の家具システム。
【請求項５】
前記家具は、家具本体と、前記家具本体を床面上に立脚する脚部と、を備え、
前記連結部材は、前記家具本体の下面に配置されていることを特徴とする請求項１から４のいずれか一項に記載の家具システム。
【請求項６】
前記連結部材は、前記脚部の基部に配置されていることを特徴とする請求項５に記載の家具システム。
【請求項７】
互いに隣接する前記家具の少なくとも一方がソファであることを特徴とする請求項１から６のいずれか一項に記載の家具システム。
【発明の詳細な説明】
【技術分野】
【０００１】
本発明は、ソファ等の家具を複数備える家具システムに関する。
【背景技術】
【０００２】
ソファ等の家具は、複数個を並べて床上に設置することがある（例えば特許文献１参照）。また、ソファに隣接してテーブルやキャビネットを設置する場合等、複数種の家具を並べて設置することもある。
例えば、ソファの場合、表面が柔軟なクッションで覆われている。このようなソファは、利用者が着座すると、クッションが上方から押圧されるにともなってクッションが外側に膨らむように変形する。すると、ソファに隣接して他のソファや家具を隙間なく設置した場合、外側に膨らんだクッションによって、隣接する他のソファや家具が横方向に押され、位置がずれてしまうことがある。
【０００３】
そこで、ソファの着座部下面にプレートを設けておき、このプレートに連結金具をボルト留めすることによって、ソファと他のソファや家具を連結する方法が用いられている。
また、特許文献１には、一方のソファに帯板状の連結部材を設け、他方のソファに連結部材が係止される被連結部材が設けられた構成が開示されている。
【先行技術文献】
【特許文献】
【０００４】
【特許文献１】特開２０１３−９４４０５号公報
【発明の概要】
【発明が解決しようとする課題】
【０００５】
しかしながら、連結金具をボルト留めするには手間がかかる。
さらに、ソファ等の家具は、着座部下面の下方に十分な隙間があるとは限らず、着座部下面に連結金具をボルト留めしにくいことがある。ソファ等の家具を横倒しにしたり上下を反転させれば、ボルト留め作業を行いやすくなる。しかし、家具が重い場合や、上下を反転させると家具が傷ついたり壊れる可能性がある場合には、家具を横出しにしたり上下を反転させるのが困難である。
また、特許文献１のように、連結部材を被連結部材に係止したのみでは、ソファの位置がずれた場合に、連結部材の被連結部材への係止が解除されてしまうことがある。
そこでなされた本発明の目的は、家具どうしを容易かつ確実に連結し、家具の位置ずれを防ぐことができる家具システムを提供することである。
【課題を解決するための手段】
【０００６】
本発明は、上記課題を解決するため、以下の手段を採用する。
この発明に係る家具システムは、互いに隣接配置される複数の家具と、複数の前記家具どうしを連結する連結部材と、を備え、互いに隣接する二つの前記家具の少なくとも一方は、隣接する他の前記家具に対向する外側面に弾性変形可能なクッション部を有し、前記連結部材は、両端部に、それぞれの前記家具に連結される連結部を有し、前記連結部材において少なくとも一端部の前記連結部は、互いに隣接する二つの前記家具どうしを接近させる方向に前記クッション部を圧縮変形させた状態で前記家具に係合・離脱可能とされ、圧縮変形した前記クッション部が復元する方向に変形した状態で、前記家具に対する係合状態が拘束されることを特徴とする。
【０００７】
このような家具システムにおいては、互いに隣接する二つの家具どうしを連結部材によって連結するには、互いに隣接する二つの家具どうしを接近させる方向にクッション部を圧縮変形させる。これには、互いに隣接する二つの家具どうしを接近させる方向に押せば良い。すると、連結部材の少なくとも一端部の連結部を、家具に対して係合させることができる。
このようにして連結部材の連結部を家具に対して係合させた後、家具どうしの押圧を解除する。すると、圧縮変形したクッション部が復元する方向に変形する。その結果、連結部の家具に対する係合状態が拘束される。これにより、二つの家具どうしが連結される。
また、二つの家具どうしの連結を解除するには、互いに隣接する二つの家具どうしを接近させる方向に押してクッション部を圧縮変形させる。すると、連結部材の少なくとも一端部の連結部を、家具に対して離脱させることができる。
このようにして、ボルト締結作業を行うことなく、家具どうしを連結することができる。
【０００８】
また、互いに隣接する前記家具の一方に、前記連結部材が係合する係合部材が設けられ、前記連結部は、互いに隣接する二つの前記家具どうしを接近させる方向に前記クッション部を圧縮変形させた状態で前記係合部材が挿入される挿入部と、前記挿入部に連続して形成され、前記挿入部に対して前記家具どうしが離間する方向に拡開し、前記係合部材が係合する係合部と、を備えるようにしてもよい。
このように構成することで、互いに隣接する二つの家具どうしを接近させる方向にクッション部を圧縮変形させた状態で、係合部材が挿入部に挿入可能となる。これにより、連結部材は家具に対して係合・離脱可能とされる。
また、圧縮変形したクッション部が復元する方向に変形すると、係合部材が、挿入部よりも家具どうしが離間する方向に拡開した係合部に係合する。これにより、連結部材は、家具に対する係合状態が拘束される。
【０００９】
また、前記連結部材の他端部が、互いに隣接する家具の他方に回動自在に連結されているようにしてもよい。
このように構成することで、連結部材を回動させることで、互いに隣接する二つの家具どうしを容易に連結できる。
また、家具どうしの連結を解除した状態でも、連結部材は、互いに隣接する家具の他方に連結されているため、連結部材を別途用意する必要がない。
【００１０】
また、前記係合部材は、前記連結部材が前記家具の高さ方向に変位可能な状態で係合する変位許容部を有しているようにしてもよい。
このように構成することで、床面の不陸等によって、互いに隣接する家具どうしの高さレベルが異なる場合でも、連結部材によって家具どうしを連結できる。
【００１１】
また、前記家具は、家具本体と、前記家具本体を床面上に立脚する脚部と、を備え、前記連結部材は、前記家具本体の下面に配置されているようにしてもよい。
このように構成することで、脚部に支持された家具本体の下方には、床面との間に隙間が存在する。したがって、連結部材による家具どうしの連結作業を、家具本体と床面との隙間に手を入れて容易に行うことができる。
【００１２】
また、前記連結部材は、前記脚部の基部に配置されているようにしてもよい。
これにより、互いに隣接する家具どうしを、双方の脚部を掴むことによって接近させることができる。したがって、連結部材による家具どうしの連結作業を容易に行うことができる。
【００１３】
また、互いに隣接する前記家具の少なくとも一方がソファであるようにしてもよい。
これにより、外側面がクッション部を有したソファを、他のソファや他の家具と容易かつ確実に連結することが可能となる。
【発明の効果】
【００１４】
この発明に係る家具システムによれば、家具どうしを容易かつ確実に連結し、家具の位置ずれを防ぐことができる。
【図面の簡単な説明】
【００１５】
【図１】本実施形態に係るソファシステムを示す正面図である。
【図２】ソファシステムの底面図である。
【図３】ソファシステムを構成するソファの側面図である。
【図４】本実施形態におけるパネル体の構成を示す斜視展開図である。
【図５】パネル体の板厚方向中間部における半断面図である。
【図６】パネル体の端部を示す上面図である。
【図７】パネル体の直線部の構造を示す断面図である。
【図８】パネル体のコーナー部の構造を示す断面図である。
【図９】パネル基材の表面に沿って設けられたクッション材を示す断面図であり、（ａ）は表皮材を非装着の状態におけるクッション材の断面図、（ｂ）は表皮材を装着した状態におけるクッション材の断面図である。
【図１０】ソファの背凭れ板の上部に対するパネル体の連結部を示す側面図である。
【図１１】ソファとパネル体との連結部分の構造を示す断面図である。
【図１２】ソファとパネル体とを連結する什器上連結ブラケットの斜視図である。
【図１３】ソファとパネル体とを連結する什器下連結ブラケットの斜視図である。
【図１４】パネル体の下部の角部に設けられた支持脚体における連結構造の一例を示す斜視図である。
【図１５】パネル体どうしの下部における連結構造を示す断面図である。
【図１６】パネル体どうしの上部における連結構造の一例を示す斜視図である。
【図１７】互いに隣接するソファ前部における脚部どうしの連結部を示す正面図である。
【図１８】連結プレートを示す平面図である。
【図１９】係合部材を示す側面図である。
【図２０】互いに隣接するソファの脚部どうしを連結するときの流れを示す図であり、（ａ）は、連結プレートを回動させる前の状態を示す図、（ｂ）は、連結プレートの連結部を係合部材に係合させる直前の状態を示す図である。
【図２１】連結プレートの連結部を係合部材に係合させて、ソファどうしを連結させた状態を示す図である。
【図２２】連結プレートの変形例を示す平面図である。
【図２３】パネル体どうしを連結する下部連結部材の変形例を示す図である。
【発明を実施するための形態】
【００１６】
以下、添付図面を参照して、本発明による家具システムを実施するための形態を説明する。
図１は、本実施形態に係るソファシステムを示す正面図である。図２は、ソファシステムを示す底面図である。図３は、ソファシステムを構成するソファの側面図である。
図１〜図３に示すように、に示すように、ソファシステム（家具システム）１００は、互いに隣接配置される複数のソファ（家具）１０１と、互いに隣接するソファ１０１どうしを連結する連結プレート（連結部材）２００と、を備えている。
【００１７】
（ソファ）
各ソファ１０１、使用者が着座する座面部（家具本体）１０２と、座面部１０２を支持する脚部１０３と、座面部１０２の一端側に設けられた背凭れ部１０４と、を備えている。
【００１８】
座面部１０２は、座面部１０２の下部において平面視矩形に組まれたフレーム１０２ａと、フレーム１０２ａを覆うように設けられ、例えば平面視略正方形状をなす直方体に形成されたクッション部１０２ｃと、を備えている。ここで、クッション部１０２ｃは、フレーム１０２ａの周囲四方の外側面を覆うように設けられている。クッション部１０２ｃは、ウレタンフォーム等、弾性変形可能な材料からなり、表皮材等によって覆われている。
【００１９】
脚部１０３は、座面部１０２の下面の四隅にそれぞれ設けられている。脚部１０３は、座面部１０２の下面に固定されたベースプレート１０５と、ベースプレート１０５から下方に向けて延びる支持脚１０６と、支持脚１０６の下端部に設けられた高さレベル調整用のアジャスタ１０７と、を備えている。
【００２０】
背凭れ部１０４は、ソファ１０１の後部に設けられた背凭れ板１０８と、座面部１０２上に配置された背凭れクッション１０９と、を備えている。
背凭れ板１０８は、座面部１０２の背面に一体に固定されている。
背凭れクッション１０９は、座面部１０２や背凭れ板１０８に固定されていてもよいし、単に座面部１０２上に載置されていてもよい。
また、背凭れ板１０８の背面にはパネル体１１が装着されている。
【００２１】
（パネル体）
図４は、本実施形態におけるパネル体の構成を示す斜視展開図である。図５は、パネル体の板厚方向中間部における半断面図である。図６は、パネル体の端部を示す上面図である。図７は、パネル体の直線部の構造を示す断面図である。図８は、パネル体のコーナー部の構造を示す断面図である。
図４に示すように、パネル体１１は、パネル基材（基材）１２と、パネル基材１２の両面に沿って設けられたクッション材（軟性材）１３と、パネル基材１２およびクッション材１３を覆う表皮材１４と、固定部材３０と、を備えている。
パネル体１１は、設置する什器の形状等に沿って、平面板状、あるいは平面視または側面視したときに、中間部で折曲または湾曲した略Ｌ字状、あるいは全体が湾曲した平面視略Ｃ字状等とすることができる。以下においては、パネル体１１が平面板状であるものとして説明を行う。
【００２２】
（パネル基材）
パネル基材１２は、パネル状の芯材１５と、芯材１５の外周部に沿って設けられたフレーム２０と、芯材１５およびフレーム２０の両面を覆うように設けられたベースシート１８と、を備えている。
【００２３】
芯材１５は、例えば紙系材料、樹脂系材料、木質系材料等から形成されている。この芯材１５は、なるべく軽量とするのが好ましい。そこで、本実施形態では、芯材１５は、紙系材料から形成され、板厚方向に貫通する孔１５ｈが多数並設された、例えば孔１５ｈが断面を六角形状として複数千鳥状に組み合わされたハニカム構造とされている。
【００２４】
（フレーム）
図４、図５に示すように、この芯材１５の外周部には、フレーム２０が設けられている。フレーム２０は、芯材１５の四辺に沿って設けられた枠材２１Ａ，２１Ｂ，２１Ｃ，２１Ｄを備えている。各枠材２１Ａ，２１Ｂ，２１Ｄ，２１Ｄは、金属系材料、樹脂系材料等から形成されている。
枠材２１Ａ，２１Ｂは、芯材１５において互いに対向する２辺に沿って上下方向に延在し、パネル体１１の幅方向両側に設けられている。枠材２１Ｃ，２１Ｄは、枠材２１Ａ，２１Ｂに直交して横方向に延在し、パネル体１１の上下方向両側に設けられている。これら枠材２１Ａ，２１Ｂと枠材２１Ｃ，２１Ｄとは、Ｌ字状のブラケット２２を介し、ボルト２３、あるいは溶接、接着等によって接合されている。これら枠材２１Ａ，２１Ｂ，２１Ｃ，２１Ｄによって、全体として矩形状をなしたフレーム２０が形成されている。
【００２５】
図６〜図８に示すように、各枠材２１Ａ，２１Ｂ，２１Ｃ，２１Ｄは、フレーム２０の内周側の芯材１５の外周端面１５ａに対向する基部２１ｅと、基部２１ｅの幅方向両側からそれぞれフレーム２０の外周側に向けて立ち上がる側壁部２１ｆと、からなる、断面略Ｕ字状に形成されている。これにより、基部２１ｅと、両側の側壁部２１ｆ，２１ｆとに囲まれた部分は、溝２５とされている。
このようにして、パネル基材１２は、その外周端部に沿って連続し、パネル基材１２の内方に向けて凹んだ溝２５を有している。
【００２６】
ここで、図５に示すように、Ｌ字状のブラケット２２は、枠材２１Ａまたは２１Ｂに沿って枠材２１Ａまたは２１Ｂの端部に設けられる第一プレート部２２ａと、第一プレート部２２ａに直交し、枠材２１Ｃまたは２１Ｄに沿って枠材２１Ｃまたは２１Ｄの端部に設けられる第二プレート部２２ｂと、第一プレート部２２ａおよび第二プレート部２２ｂに沿ってＬ字状のブラケット２２の屈曲方向内側に設けられたリブ部２２ｃとが一体に形成されている。
【００２７】
Ｌ字状のブラケット２２の第一プレート部２２ａ、第二プレート部２２ｂには、雌ネジ部２９が形成されている。またブラケット２２の第一プレート部２２ａに沿う枠材２１Ａまたは２１Ｂの基部２１ｅと、第二プレート部２２ｂに沿う枠材２１Ｃまたは２１Ｄの基部２１ｅには、それぞれ、雌ネジ部２９に対向した位置に、貫通孔２８が形成されている。これら雌ネジ部２９および貫通孔２８は、後に例示する各種のオプション部材を取り付けるオプション部材取付部である。
【００２８】
リブ部２２ｃは、第一プレート部２２ａおよび第二プレート部２２ｂから、第一プレート部２２ａおよび第二プレート部２２ｂに直交して、パネル体１１の内周側に向けて突出形成されている。このリブ部２２ｃは、第一プレート部２２ａおよび第二プレート部２２ｂの幅方向両側、つまり、パネル体１１の一面側と他面側とにそれぞれ形成されている。このリブ部２２ｃは、第一プレート部２２ａおよび第二プレート部２２ｂの曲げ強度を高める補強部材として機能するだけでなく、芯材１５の角部の押さえ部材としても機能することができる。すなわち、パネル基材１２の一面側と他面側にそれぞれ設けられたリブ部２２ｃの間に芯材１５が挟み込まれる。パネル基材１２においては、四隅にこのようなブラケット２２が設けられることにより、芯材１５をフレーム２０の内側に保持できるようになっている。
【００２９】
図７、図８に示すように、フレーム２０および芯材１５を覆うように、芯材１５の両面には、シート状のベースシート１８が設けられている。ベースシート１８は、例えばボール紙等から形成されている。このベースシート１８は、芯材１５よりも外形寸法が大きく、その外周部１８ａがフレーム２０の表面２０ｆに接着剤等により接着されている。
【００３０】
（クッション材）
クッション材１３は、パネル基材１２の表面を形成するベースシート１８に沿って設けられている。クッション材１３は、ベースシート１８を介して、芯材１５の全体を覆うように設けられている。さらに、クッション材１３は、その外周端部１３ｓが、フレーム２０を構成する各枠材２１Ａ，２１Ｂ，２１Ｃ，２１Ｄの側壁部２１ｆを覆うように設けられている。つまり、クッション材１３は、芯材１５およびフレーム２０を覆うように設けられている。
このクッション材１３は、柔軟性および弾性を有した材料、例えば発泡ウレタン材等から形成されている。
【００３１】
図９は、パネル基材１２の表面に沿って設けられたクッション材１３を示す断面図であり、（ａ）は表皮材１４を非装着の状態におけるクッション材１３の断面図、（ｂ）は表皮材１４を装着した状態におけるクッション材１３の断面図である。
図４に示すように、クッション材１３には、複数の貫通孔１６が形成されている。貫通孔１６は、例えば、上下方向を長軸方向とした長円形状とされている。そして、クッション材１３の外表面１３ｆには、複数の貫通孔１６が、上下方向および上下方向に直交する横方向に、間隔を空けて配列されている。
【００３２】
図７、図９に示すように、各貫通孔１６は、クッション材１３においてパネル基材１２とは反対側を向く外表面１３ｆからパネル基材１２側に対向する対向面１３ｇまで、クッション材１３の厚さ方向に貫通して形成されている。図９（ａ）に示すように、各貫通孔１６は、その内周面１６ｆが外表面１３ｆと直交して形成されている。これにより、貫通孔１６の周縁に角部１６ｖが形成されている。
このような貫通孔１６が形成されたクッション材１３をパネル基材１２の表面に設けることで、パネル基材１２の表面に角部１６ｖを有する凹凸形状が形成される。
【００３３】
（表皮材）
図７、図９に示すように、表皮材１４は、クッション材１３の全体を覆うよう設けられている。表皮材１４は、クッション材１３の外表面１３ｆと、貫通孔１６において外表面１３ｆに直交する内周面１６ｆと、貫通孔１６の底部に露出するベースシート１８の露出面１８ｆとに沿うよう、接着されている。このようにして、表皮材１４が、クッション材１３に形成された複数の貫通孔１６に沿うことで、パネル体１１の表面には、複数の長円形状の（凹凸部）凹部１７が形成されている。そして、各凹部１７において、表皮材１４は、貫通孔１６を通して、パネル基材１２の表面を形成するベースシート１８に接着されている。
ここで、表皮材１４は、例えばポリエステル等、弾性変形可能な材質で形成され、伸長した状態でクッション材１３及びパネル基材１２を覆っている。クッション材１３は、外表面１３ｆ側の貫通孔１６の周縁において外方に向けて凸となる角部１６ｖが、表皮材１４によって内方に向けて押圧される。これにより、クッション材１３は、角部１６ｖにおいて圧縮方向に弾性変形し、貫通孔１６の角部１６ｖは、円弧状断面とされている。
【００３４】
また、図７、図８に示すように、クッション材１３および表皮材１４は、パネル基材１２よりも大きな外形寸法を有している。そして、クッション材１３および表皮材１４は、その外周端部１３ｅ，１４ｅが、パネル基材１２の外周縁部、つまり各枠材２１Ａ，２１Ｂ，２１Ｃ，２１Ｄの側壁部２１ｆを回り込んで、溝２５内側に巻き込まれている。このクッション材１３および表皮材１４の外周端部１３ｅ，１４ｅが、各枠材２１Ａ，２１Ｂ，２１Ｃ，２１Ｄの側壁部２１ｆを回り込む部分で、クッション材１３が表皮材１４によって圧縮される。これにより、パネル体１１は、外周端部１１ｓに向かうにしたがって、その厚みが漸次小さくするように形成されている。また、パネル体１１は、外周端部１１ｓにおいてクッション材１３および表皮材１４が各枠材２１Ａ，２１Ｂ，２１Ｃ，２１Ｄの側壁部２１ｆを回り込む部分で、丸く円弧状に形成されている。
これらクッション材１３及び表皮材１４が、表皮構造を構成している。
【００３５】
（固定部材）
固定部材３０は、溝２５に嵌め込まれている。固定部材３０は、溝２５内側に巻き込まれたクッション材１３および表皮材１４の外周端部１３ｅ，１４ｅを、溝２５の内周面と固定部材３０の外周面との間に挟み込んでいる。これにより、クッション材１３および表皮材１４の外周端部１３ｅ，１４ｅをフレーム２０の側壁部２１ｆに固定している。
【００３６】
ここで、図４に示すように、固定部材３０は、矩形状のパネル基材１２の外周部の直線部分１２Ｓに配置される直線部固定部材３０Ｓと、矩形状のパネル基材１２の外周部のコーナー部１２Ｃに配置されるコーナー部固定部材３０Ｃと、を備えている。
【００３７】
図７に示すように、直線部固定部材３０Ｓは、直線部固定部材３０Ｓが連続する方向に直交する断面形状が、互いに平行に位置する側部プレート部３１，３１と、側部プレート部３１，３１どうしを一体に連結する連結プレート部３２と、を備えている。
【００３８】
側部プレート部３１，３１は、フレーム２０の溝２５を形成する側壁部２１ｆとの間に、クッション材１３および表皮材１４の外周端部１３ｅ，１４ｅを挟み込む。このため、側部プレート部３１，３１の間隔は、溝２５の側壁部２１ｆ，２１ｆの間隔よりも所定寸法小さく形成されている。これら側部プレート部３１，３１は、直線部固定部材３０Ｓを溝２５内に嵌め込んだときに、先端部３１ａ，３１ａが溝２５の基部２１ｅに突き当たるよう形成されている。
【００３９】
連結プレート部３２は、側部プレート部３１，３１の先端部３１ａ，３１ａよりも、溝２５の基部２１ｅから離間する方向にオフセットして形成されている。これにより、直線部固定部材３０Ｓは、側部プレート部３１，３１と連結プレート部３２とにより、断面略Ｈ字状をなしている。そして、直線部固定部材３０Ｓは、溝２５内に嵌め込んだ状態で、側部プレート部３１，３１の先端部３１ａ，３１ａ側と、連結プレート部３２と、溝２５の基部２１ｅとに囲まれた部分に、空間Ｓ１が形成されるようになっている。この空間Ｓ１は、溝２５内に巻き込まれたクッション材１３および表皮材１４の外周端部１３ｅ，１４ｅの余剰部、すなわち外周端部１３ｅ，１４ｅのうちフレーム２０の基部２１ｅに突き当たった部分よりも先端部分（不図示）を収容できる収容空間として機能する。
【００４０】
また、側部プレート部３１，３１において、溝２５の側壁部２１ｆ，２１ｆに対向する側には、突起３３，３３が形成されている。この突起３３，３３は、側部プレート部３１，３１と側壁部２１ｆ，２１ｆとの間に挟み込まれたクッション材１３および表皮材１４の外周端部１３ｅ，１４ｅに食い込むようになっている。これにより、直線部固定部材３０Ｓは、クッション材１３および表皮材１４が溝２５から抜け出ることを防止している。
【００４１】
さらに、側部プレート部３１，３１において、連結プレート部３２よりも溝２５の基部２１ｅから離間する側には、側部プレート部３１，３１から内方に向けて突出する突条３４，３４が形成されている。そして、これら突条３４，３４と、側部プレート部３１，３１と、連結プレート部３２とに囲まれて、オプション部材取付部として保持溝３５が形成されている。
【００４２】
図５に示すように、パネル体１１の上部のコーナー部に配置されるコーナー部固定部材３０Ｃは、上下方向に延びる第一直線状部３８Ａと、第一直線状部３８Ａの上端から屈曲して横方向に延びる第二直線状部３８Ｂとから、略Ｌ字状に形成されている。
第一直線状部３８Ａは、上下方向に延びる枠材２１Ａまたは枠材２１Ｂの上端部において溝２５内に嵌め込まれる。第二直線状部３８Ｂは、第一直線状部３８Ａの一端から連続して形成され、横方向に延びる枠材２１Ｃまたは枠材２１Ｄの両端部において溝２５内に嵌め込まれる。このようにして、溝２５は、基材２１の上面と両側面とに連続して形成されて、上面の溝２５と両側面の溝２５とが連続する部分にコーナー部固定部材３０Ｃが設けられている。
【００４３】
図８に示すように、第一直線状部３８Ａ、第二直線状部３８Ｂは、それぞれが連続する方向に直交する断面形状が、互いに平行に位置する側部プレート部３６，３６と、側部プレート部３６，３６どうしを一体に連結する連結プレート部３７と、を備えている。
【００４４】
側部プレート部３６，３６は、フレーム２０の溝２５を形成する側壁部２１ｆ，２１ｆとの間に、クッション材１３および表皮材１４の外周端部１３ｅ，１４ｅを挟み込む。このため、側部プレート部３６，３６の間隔は、溝２５の側壁部２１ｆ，２１ｆの間隔よりも所定寸法小さく形成されている。これら側部プレート部３６，３６は、コーナー部固定部材３０Ｃを溝２５内に嵌め込んだときに、先端部３６ａ，３６ａが溝２５の基部２１ｅに突き当たるよう形成されている。
ここで、側部プレート部３６，３６において、溝２５の側壁部２１ｆ，２１ｆに対向する側に、凸部３６ｔ，３６ｔが形成されている。この凸部３６ｔ，３６ｔは、側部プレート部３１，３１と側壁部２１ｆ，２１ｆとの間にクッション材１３および表皮材１４の外周端部１３ｅ，１４ｅを挟み込むようになっている。
【００４５】
連結プレート部３７は、側部プレート部３６，３６の先端部３６ａ，３６ａよりも、溝２５の基部２１ｅから離間する方向にオフセットして形成されている。これにより、コーナー部固定部材３０Ｃは、側部プレート部３６，３６と連結プレート部３７により、断面略Ｈ字状をなしている。そして、直線部固定部材３０Ｓは、溝２５内に嵌め込んだ状態で、側部プレート部３６，３６の先端部３６ａ，３６ａ側と、連結プレート部３７と、溝２５の基部２１ｅとに囲まれた部分に、空間Ｓ２が形成されるようになっている。この空間Ｓ２は、溝２５内に巻き込まれたクッション材１３および表皮材１４の外周端部１３ｅ，１４ｅの余剰部、すなわち外周端部１３ｅ，１４ｅのうちフレーム２０の基部２１ｅに突き当たった部分よりも先端部分（不図示）を収容できる収容空間として機能する。なおここで、連結プレート部３７は、直線部固定部材３０Ｓにおける連結プレート部３２よりも基部２１ｅに近く、空間Ｓ２は、空間Ｓ１よりも小さく形成されている。
【００４６】
図５に示すように、このようなコーナー部固定部材３０Ｃは、溝２５に対し、コーナーキャップ４０によって固定されている。コーナーキャップ４０は、第一直線状部４１Ａと、第一直線状部４１Ａの一端に連続し、第一直線状部４１Ａに直交して延びる第二直線状部４１Ｂとからなる略Ｌ字状をなしている。図８に示すように、これら第一直線状部４１Ａ，第二直線状部４１Ｂは、コーナー部固定部材３０Ｃの第一直線状部３８Ａ，第二直線状部３８Ｂに対し、側部プレート部３６，３６との間に挿入され、連結プレート部３７に突き当てられている。
そして、図５に示すように、第一直線状部４１Ａの下端部には、突起片４３が下方に向けて突出形成されている。この突起片４３が、直線部固定部材３０Ｓの上端部において、連結プレート部３２と突条３４との間の保持溝３５（図７参照）に挿入されている。
【００４７】
また、図５に示すように、第二直線状部４１Ｂには、ボルト４５を挿入するボルト挿通孔４４が形成されている。このボルト挿通孔４４に挿通させたボルト４５により、コーナーキャップ４０と、コーナー部固定部材３０Ｃ、枠材２１Ｃ、ブラケット２２の第二プレート部２２ｂが一体に締結されている。
【００４８】
（支持脚体）
図５に示すように、上記したようなパネル体１１の下部両端部のコーナー部には、それぞれ、支持脚体５０が設けられている。この支持脚体５０は、床面に接地することで、パネル体１１を床面上に立設させる。
支持脚体５０は、パネル基材１２の下部端部１２Ｐで溝２５内に収容される下部支持部５１と、下部支持部５１の一端から上方に延び、パネル基材１２の側部下端部１２Ｑで溝２５内に収容される側部支持部５２と、下部支持部５１よりも下方に延びる支持脚部５３と、を一体に備えている。
【００４９】
下部支持部５１はフレーム２０の下端部の溝２５の底面を形成する基部２１ｅに突き当てて固定されている。また、側部支持部５２は、フレーム２０の側端部の溝２５の底面を形成する基部２１ｅに突き当てて固定されている。
下部支持部５１および側部支持部５２には、ボルト４８が挿通されるボルト挿通孔５４が形成されている。このボルト挿通孔５４に挿通されるボルト４８は、雌ネジ部２９および貫通孔２８にねじ込まれるようになっている。これにより、支持脚体５０が、パネル体１１に固定される。
【００５０】
支持脚部５３は、下部支持部５１よりも下方に延び、その下端部に、高さ調整ネジ４９がねじ込み可能とされている。
【００５１】
（ソファとパネル体との連結構造）
図１０は、ソファの背凭れ板１０８の上部に対するパネル体１１の連結部の側面図である。図１１は、ソファ１０１とパネル体１１との連結部分の構造を示す断面図である。図１２は、ソファ１０１とパネル体１１とを連結する什器上連結ブラケット１７１の斜視図である。図１３は、ソファ１０１とパネル体１１とを連結する什器下連結ブラケット１８１の斜視図である。
【００５２】
図３、図１０〜図１２に示すように、パネル体１１の上部には、このパネル体１１とソファ１０１の上部とを連結する什器上連結ブラケット１７１が装着可能とされている。
【００５３】
什器上連結ブラケット１７１は、パネル体１１の幅方向端部に取り付けられる係止部１７２と、係止部１７２の端部から屈曲し、パネル体１１の溝２５に設けられた直線部固定部材３０Ｓの側部プレート部３１に沿って延びる側壁部１７３とを有している。什器上連結ブラケット１７１は、側壁部１７３の端部から屈曲しパネル体１１の外周端部１１ｓに沿って延びる外壁部１７４と、外壁部１７４の端部から屈曲しパネル体１１の表皮材１４に沿って配置される挟持壁部１７５とを有している。什器上連結ブラケット１７１は、ソファ１０１の背凭れ板１０８の上端に沿って配置される上壁部１７６と、上壁部１７６の端部から背凭れ板１０８の前面に沿って配置される前壁部１７７とを有している。
【００５４】
什器上連結ブラケット１７１の係止部１７２には、貫通孔１７２Ａが形成されている。この貫通孔１７２Ａから挿通されたボルト１７９が、パネル体１１の枠材２１Ａ（又は枠材２１Ｂ）に固定された直線部固定部材３０Ｓの保持溝３５内に設けられ、雌ねじが形成されたベース部１７８に螺合されている。このように什器上連結ブラケット１７１がパネル体１１に取り付けられた状態で、ソファ１０１の背凭れ板１０８の上部は、什器上連結ブラケット１７１の挟持壁部１７５と前壁部１７７とで挟持される。
【００５５】
このとき、パネル体１１における什器上連結ブラケット１７１の外壁部１７４が配置される側のクッション材１３Ｐは、外壁部１７４に押圧されている。これにより、什器上連結ブラケット１７１が配置される側のクッション材１３Ｐの幅寸法は、什器上連結ブラケット１７１が配置されない側のクッション材１３Ｑの幅寸法よりも短くなる。また、クッション材１３Ｑの端部と、クッション材１３Ｐに沿って配置された什器上連結ブラケット１７１の外壁部１７４の端面とは、面一とされている。
【００５６】
図３，図１３に示すように、ソファ１０１の上部とパネル体１１の下部とは、什器下連結ブラケット１８１を介して連結されている。
【００５７】
什器下連結ブラケット１８１は、図示しないボルトによりソファ１０１の座面部１０２の下面に取り付けられる脚部１０３のベースプレート１０５に固定される支持壁部１８２と、支持壁部１８２の端部から下方に向かって屈曲形成された屈曲壁部１８３とを有している。什器下連結ブラケット１８１は、屈曲壁部１８３の端部から屈曲しパネル体１１の表皮材１４に沿って配置される上下壁部１８４と、上下壁部１８４の下端から屈曲しパネル体１１側に向かって伸びる下壁部１８５と、下壁部１８５の端部から上方に向かって延びる係止部１８６とを有している。係止部１８６には、パネル体１１の下端部の直線部固定部材３０Ｓの側部プレート部３１，３１の間隔に応じた幅を有したリブ１８６Ａが形成されている。
【００５８】
什器下連結ブラケット１８１の係止部１８６は、パネル体１１の下端部の直線部固定部材３０Ｓの側部プレート部３１，３１間に挿入されて係止されている。
【００５９】
このように、パネル体１１は、什器上連結ブラケット１７１および什器下連結ブラケット１８１を介して、背凭れ板１０８の背面に装着されている。
【００６０】
（ソファどうしの連結）
次に、上記のようなソファシステム１００において、互いに隣接するソファ１０１，１０１どうしは、ソファ１０１の全部の脚部１０３，１０３どうし、パネル体１１，１１どうしが、それぞれ以下のようにして連結されている。
【００６１】
（支持脚体によるパネル体下部の連結）
図１４は、パネル体１１の下部の角部に設けられた支持脚体５０における連結構造の一例を示す斜視図である。図１５は、パネル体１１，１１どうしの下部における連結構造を示す断面図である。
図１４、図１５に示すように、支持脚体５０には、隣接して配置される他のパネル体１１と連結するための下部連結部材５５の一端が係止可能とされている。このため、支持脚体５０には、下部支持部５１よりも下方に膨出した膨出部５６が一体に形成されている。
【００６２】
そして、この膨出部５６には、パネル体１１の厚さ方向に沿った支持脚体５０の中間部に、プレート状の下部連結部材５５の一端が挿入可能なスリット５７が形成されている。スリット５７は、膨出部５６において他方のパネル体１１に隣接する側の側面５６ａおよび下面５６ｂに開口している。
図１５に示すように、スリット５７の上部には、後述する下部連結部材５５の突起部５８Ａが挿入される挿入凹部５７ａが、上方に向けて凹んで形成されている。そして、スリット５７の上部において、膨出部５６の側面５６ａ側には、挿入凹部５７ａに隣接して、下方に向けて突出する突起部５７ｂが形成されている。
【００６３】
また、膨出部５６には、スリット５７内に挿入された下部連結部材５５を係止するための、係止孔５６ｈが、パネル体１１の厚さ方向に沿って貫通形成されている。
【００６４】
下部連結部材５５は、両端部にそれぞれ貫通孔５５ｈが形成されている。また、下部連結部材５５の両端部には、それぞれ、上方に向けて突出する突起部５８Ａが形成されている。また、下部連結部材５５には、両端部の突起部５８Ａ，５８Ａの間に、上方に向けて突出する中央突起部５８Ｂが形成されている。そして、中央突起部５８Ｂと、その両側の突起部５８Ａとの間には、下方に向けて凹となる係合凹部５８Ｃが形成されている。
【００６５】
突起部５７ｂおよび係合凹部５８Ｃは、膨出部５６の側面５６ａ側、中央突起部５８Ｂ側が、上下方向に延在する鉛直面５７ｆ、５８ｆとされ、その反対側が、上方に行くにしたがい鉛直面５７ｆ、５８ｆから離間する傾斜面５７ｇ、５８ｇとされている。これにより、突起部５７ｂおよび係合凹部５８Ｃは、いずれも下方に行くにしたがいその幅寸法が漸次小さくなるテーパ状をなしている。
この係合凹部５８Ｃに、スリット５７の突起部５７ｂが嵌め込まれることで、下部連結部材５５と支持脚体５０とを、パネル体１１，１１が隣り合う方向において、容易に位置決めできるようになっている。
【００６６】
互いに隣接するパネル体１１，１１どうしを連結するには、貫通孔５５ｈが形成された下部連結部材５５の両端部を、支持脚体５０のスリット５７に挿入する。下部連結部材５５の両端部の係合凹部５８Ｃに、それぞれ、両側のパネル体１１に設けられた支持脚体５０の突起部５７ｂを嵌め込む。ここで、突起部５７ｂおよび係合凹部５８Ｃは、いずれも下方に行くにしたがいその幅寸法が漸次小さくなるテーパ状をなしている。したがって、係合凹部５８Ｃに突起部５７ｂが挿入されることで、下部連結部材５５と支持脚体５０とが、パネル体１１，１１が隣り合う方向において互いに位置決めされる。これにより、下部連結部材５５に形成された両端部の貫通孔５５ｈと、支持脚体５０の係止孔５６ｈとが連通する。そこで、これら貫通孔５５ｈ及び係止孔５６ｈに連結ボルト５９を挿通・締結させる。これにより、下部連結部材５５によって、パネル体１１，１１どうしが下端部で連結される。
【００６７】
（パネル体上部における連結）
図１６は、パネル体１１，１１どうしの上部における連結構造の一例を示す斜視図である。
この図１６に示すように、互いに隣接するパネル体１１，１１どうしは、それぞれの上端部どうしを、オプション部材としての上部連結部材６１によって連結することができる。
この上部連結部材６１は、コーナーキャップ４０に代えて、コーナー部固定部材３０Ｃに取り付けられる。上部連結部材６１の両端部６１ａ，６１ａには、ボルト挿通孔６２が形成されている。
また、上部連結部材６１の中間部６１ｂの下面側には、互いに隣接するパネル体１１，１１の上部に配置されたコーナー部固定部材３０Ｃ．３０Ｃの間隔を規制する間隔規制部６３が下方に向けて突出形成されている。間隔規制部６３が、互いに隣接するパネル体１１，１１の上部に配置されたコーナー部固定部材３０Ｃ．３０Ｃの間に挿入されることで、パネル体１１，１１どうしの間隔を規制することができる。
【００６８】
このような上部連結部材６１によって、互いに隣接するパネル体１１，１１の上端部どうしを連結するには、以下のようにする。
まず、上部連結部材６１を、互いに隣接するパネル体１１，１１の上部に配置されたコーナー部固定部材３０Ｃ．３０Ｃ上に載せる。このとき、上部連結部材６１の両端部６１ａ，６１ａの下面が、コーナー部固定部材３０Ｃの第二直線状部３８Ｂに対し、側部プレート部３６，３６との間に挿入され、連結プレート部３７に突き当てられている。そして、間隔規制部６３が、互いに隣接するパネル体１１，１１の上部に配置されたコーナー部固定部材３０Ｃ．３０Ｃの間に挿入されることで、パネル体１１，１１どうしの間隔を規制することができる。より具体的には、間隔規制部６３の両側面６３ａ，６３ａに、コーナー部固定部材３０Ｃの第一直線状部３８Ａの連結プレート部３７を突き当てることで、パネル体１１，１１どうしの間隔を適正に位置決めできる。この状態で、ボルト挿通孔６２に挿通させたボルト６４を、貫通孔２８を通して雌ネジ部２９に締結させることにより、上部連結部材６１と、コーナー部固定部材３０Ｃ、枠材２１Ｃ（図５参照）、ブラケット２２の第二プレート部２２ｂ（図５参照）を一体に固定する。これによって、互いに隣接するパネル体１１，１１の上端部どうしが連結される。
【００６９】
（ソファ前部における脚部どうしの連結）
図１７は、互いに隣接するソファ１０１，１０１前部における脚部１０３，１０３どうしの連結部分を示す正面図である。図１８は、連結プレート２００を示す平面図である。図１９は、係合部材２１０を示す側面図である。図２０は、互いに隣接するソファ１０１，１０１の脚部１０３，１０３どうしを連結するときの流れを示す図であり、（ａ）は、連結プレート２００を回動させる前の状態を示す図、（ｂ）は、連結プレート２００の連結部２０１を係合部材２１０に係合させる直前の状態を示す図である。図２１は、連結プレート２００の連結部２０１を係合部材２１０に係合させて、ソファ１０１，１０１どうしを連結させた状態を示す図である。
図１７に示すように、ソファシステム１００において、互いに隣接するソファ１０１，１０１どうしは、連結プレート２００により、座面部１０２の前端側に設けられた脚部１０３，１０３が連結されている。
【００７０】
図１８に示すように、連結プレート２００は、長円形状の金属板から形成されている。連結プレート２００は、両端部に、それぞれのソファ１０１に連結される連結部として、連結部２０１、連結孔（連結部）２０５を備えている。連結部２０１は、連結プレート２００の一端部に形成され、一方のソファ１０１に連結される。連結孔２０５は、連結プレート２００の他端部に貫通形成され、他方のソファ１０１に回動自在に連結される。
連結部２０１は、連結プレート２００の長手方向に延びる側辺２００ｓに開口する挿入部２０２と、挿入部２０２に連続して形成された係合部２０３と、を備えている。
挿入部２０２は、後述する係合部材２１０の軸部２１０ｃ（図１７参照）の外径より大きな開口幅を有している。挿入部２０２は、連結プレート２００の側辺２００ｓから、連結プレート２００の短手方向に沿って延びている。
係合部２０３は、連結プレート２００の短手方向中央部に形成されている。係合部２０３は、係合部材２１０の軸部２１０ｃよりも大きな内径を有している。係合部２０３は、挿入部２０２に対し、連結孔２０５から離間する側にオフセットして形成されている。これにより、係合部２０３には、挿入部２０２に対し連結孔２０５から離間する側に拡開した係合凹部２０３ａが形成されている。
【００７１】
図１７に示すように、連結プレート２００は、連結孔２０５に貫通させたビス２０６を脚部１０３のベースプレート１０５に締結することによって、ビス２０６を中心として座面部１０２の下面１０２ｆに沿った面内で回動自在とされている。
【００７２】
互いに隣接するソファ１０１の一方には、連結プレート２００が係合する係合部材２１０が設けられている。図１９に示すように、係合部材２１０は、いわゆる段付きビスからなり、一端側に設けられたビス頭部２１０ａと、他端側に設けられた雄ネジ部２１０ｂと、ビス頭部２１０ａと雄ネジ部２１０ｂとの間に形成され、雄ネジ部２１０ｂよりも大きな外径を有した軸部２１０ｃと、を有している。
図１７に示すように、この係合部材２１０は、ソファ１０１の座面部１０２の下面に設けられた脚部１０３のベースプレート１０５に、雄ネジ部２１０ｂがねじ込まれる。すると、係合部材２１０の軸部２１０ｃがベースプレート１０５に突き当たり、ビス頭部２１０ａは、軸部２１０ｃの軸方向長さの分だけ、ベースプレート１０５の下方に間隔をあけて位置する。
【００７３】
連結プレート２００は、係合部材２１０の軸部（変位許容部）２１０ｃが、連結部２０１の挿入部２０２に入り込み、係合部２０３に係合することで、互いに隣接するソファ１０１，１０１どうしを連結する。
ここで、連結部２０１の挿入部２０２に対しては、互いに隣接する二つのソファ１０１，１０１どうしを接近させる方向にクッション部１０２ｃを圧縮変形させた状態で係合部材２１０が挿入可能とされる。
【００７４】
したがって、このようなソファシステム１００においては、互いに隣接する二つのソファ１０１，１０１どうしを連結プレート２００によって連結するには、図２０（ａ）、（ｂ）に示すように、連結部材２００を、ビス２０６を中心として回動させ、連結部２０１に係合部材２１０の軸部２１０ｃを受け入れる。このとき、ソファ１０１，１０１どうしを単に接した状態としただけでは、図２０（ｂ）に示すように、連結部２０１の挿入部２０２が係合部材２１０の軸部２１０ｃと干渉する。そこで、図２１に示すように、互いに隣接する二つのソファ１０１，１０１どうしを接近させる方向にクッション部１０２ｃを圧縮変形させる。これには、互いに隣接する二つのソファ１０１，１０１どうしを接近させる方向に押せば良い。すると、係合部材２１０を、連結プレート２００の一端部の連結部２０１の挿入部２０２を通して係合部２０３内に挿入することができる。
そして、連結プレート２００の連結部２０１をソファ１０１に対して係合させた後、ソファ１０１，１０１どうしの押圧を解除する。すると、圧縮変形したクッション部１０２ｃの反発力によって、クッション部１０２ｃが復元する方向に変形する。その結果、連結部２０１の係合部２０３の係合凹部２０３ａに、係合部材２１０が係合する。これにより、連結プレート２００の一端側の連結部２０１において、ソファ１０１に対する係合状態が拘束される。このようにして、互いに隣接する二つのソファ１０１，１０１どうしが連結される。
【００７５】
また、連結プレート２００による二つのソファ１０１，１０１どうしの連結を解除するには、図２０（ｂ）に示すように、互いに隣接する二つのソファ１０１，１０１どうしを接近させる方向に押してクッション部１０２ｃを圧縮変形させる。すると、係合部材２１０の軸部２１０ｃが、係合部２０３の係合凹部２０３ａに入り込んで係合した状態から、挿入部２０２に連通した位置に変位する。この状態で、図２０（ａ）に示すように、連結プレート２００を、連結孔２０５を中心として回動させると、係合部材２１０の軸部２１０ｃが、挿入部２０２から抜け出る。このようにして、連結プレート２００の一端部の連結部２０１を、ソファ１０１に対して離脱させることができる。
【００７６】
ここで、図１７に示すように、係合部材２１０の軸部２１０ｃは、軸方向の長さが、連結プレート２００の板厚より大きく設定されている。これにより、連結プレート２００の連結部２０１は、係合部材２１０の軸部２１０ｃに対し、ソファ１０１の高さ方向に変位可能な状態で係合可能とされている。
【００７７】
上述したように、ソファシステム１００は、互いに隣接するソファ１０１，１０１どうしが連結プレート２００により連結されている。そして、連結プレート２００の一端部の連結部２０１は、互いに隣接する二つのソファ１０１，１０１どうしを接近させる方向にクッション部１０２ｃを圧縮変形させた状態でソファ１０１に係合・離脱可能とされ、圧縮変形したクッション部１０２ｃが復元する方向に変形した状態で、ソファ１０１に対する係合状態が拘束される。
これにより、互いに隣接する二つのソファ１０１，１０１どうしを連結プレート２００によって連結する場合には、互いに隣接する二つのソファ１０１，１０１どうしを接近させる方向にクッション部１０２ｃを圧縮変形させた状態で、連結部２０１を、ソファ１０１に対して係合させることができる。そして、連結部２０１をソファ１０１に対して係合させた後、ソファ１０１，１０１どうしの押圧を解除する。すると、圧縮変形したクッション部１０２ｃが復元する方向に変形し、連結部２０１のソファ１０１に対する係合状態が拘束される。これにより、二つのソファ１０１，１０１どうしが連結される。
また、二つのソファ１０１，１０１どうしの連結を解除するには、互いに隣接する二つのソファ１０１，１０１どうしを接近させる方向に押してクッション部１０２ｃを圧縮変形させれば、連結プレート２００の連結部２０１を、ソファ１０１から離脱させることができる。
このようにして、ソファ１０１，１０１どうしを容易かつ確実に連結し、ソファ１０１の位置ずれを防ぐことができる。
【００７８】
また、互いに隣接するソファ１０１の一方に、連結プレート２００が係合する係合部材２１０が設けられ、連結部２０１は、互いに隣接する二つのソファ１０１，１０１どうしを接近させる方向にクッション部１０２ｃを圧縮変形させた状態で係合部材２１０が挿入される挿入部２０２と、挿入部２０２に連続して形成され、挿入部２０２よりもクッション部１０２ｃが復元する方向に拡開し、係合部材２１０が係合する係合部２０３と、を備えている。
このように構成することで、互いに隣接する二つのソファ１０１，１０１どうしを接近させる方向にクッション部１０２ｃを圧縮変形させた状態で、係合部材２１０が挿入部２０２に挿入されるので、連結部２０１はソファ１０１に対して係合・離脱可能とされる。
また、圧縮変形したクッション部１０２ｃが復元する方向に変形すると、係合部材２１０が、挿入部２０２よりもクッション部１０２ｃが復元する方向に拡開した係合部２０３に係合する。これにより、ソファ１０１に対する係合状態が拘束される。
【００７９】
また、連結プレート２００の他端部の連結孔２０５が、互いに隣接するソファ１０１の他方に回動自在に連結されている。
このように構成することで、連結プレート２００を回動させることで、互いに隣接する二つのソファ１０１，１０１どうしを容易に連結できる。
また、ソファ１０１，１０１どうしの連結を解除した状態でも、連結プレート２００は、互いに隣接するソファ１０１の他方に連結されているため、連結プレート２００を別途用意する必要がない。
【００８０】
また、係合部材２１０は、軸部２１０ｃが上下方向に一定長を有しており、この軸部２１０ｃに対して、連結プレート２００がソファ１０１の高さ方向に変位可能な状態で係合する。このように構成することで、床面の不陸等によって、互いに隣接するソファ１０１，１０１どうしの高さレベルが異なる場合でも、連結プレート２００によってソファ１０１，１０１どうしを連結できる。
【００８１】
また、ソファ１０１は、座面部１０２と、座面部１０２を床面上に立脚する脚部１０３と、を備え、連結プレート２００は、座面部１０２の下面に設けられている。
このように構成することで、脚部１０３に支持された座面部１０２の下方には、床面との間に隙間が存在する。したがって、連結プレート２００によるソファ１０１，１０１どうしの連結作業を、座面部１０２と床面との隙間に手を入れることで、容易に行うことができる。
【００８２】
また、連結プレート２００は、脚部１０３の基部に配置されている。これにより、互いに隣接するソファ１０１，１０１どうしを、双方の脚部１０３，１０３を掴むことによって接近させることができる。したがって、連結プレート２００によるソファ１０１，１０１どうしの連結作業を容易に行うことができる。
【００８３】
さらに、互いに隣接するソファ１０１，１０１の座面部１０２，１０２は、クッション部１０２ｃ、１０２ｃを互いに押し付けた状態で、連結プレート２００により連結される。
これにより、座面部１０２，１０２同士がずれることなく密着し、体裁を向上させることができる。
また、座面部１０２，１０２が密着することで、物品等が座面部１０２，１０２の隙間に落ちるのを防ぐことができる。
【００８４】
また、上述したソファシステム１００において、互いに隣接するソファ１０１，１０１間で、背凭れ板１０８，１０８に装着されたパネル体１１，１１どうしも連結されている。
これにより、ソファ１０１，１０１を後部において連結することができる。
【００８５】
ここで、上述したパネル体１１によれば、パネル基材１２およびクッション材１３を覆う表皮材１４が、パネル体１１の外周部において、パネル基材１２の外周縁部を回り込んで溝２５の内側に巻き込まれている。このため、パネル体１１の外周部は、パネル基材１２が露出することなく、表皮材１４で覆われることになる。
さらに、表皮材１４は、溝２５内で固定部材３０により固定されるため、固定部材３０がパネル体１１の外周部に露出するのを抑えることができる。
これにより、パネル体１１の外観を、柔軟な、有機的な印象とすることができる。
【００８６】
（その他の実施形態）
なお、本発明の家具システムは、図面を参照して説明した上述の実施形態に限定されるものではなく、その技術的範囲において様々な変形例が考えられる。
例えば、連結プレート２００は、一端部に連結部２０１を形成し、他端部に連結孔２０５を形成するようにしたが、これに限らない。図２２に示すように、連結プレート２００の両端部に、それぞれ連結部２０１を形成してもよい。
【００８７】
また、連結プレート２００の連結部２０１を、係合部材２１０に係合させるようにしたが、係合部材２１０は、いかなる構成であってもよい。例えば、上下方向に一定長を有した軸部２１０ｃに対して、連結プレート２００がソファ１０１の高さ方向に変位可能な状態で係合するようにしたが、これに限らず、軸部２１０ｃは、連結プレート２００の板厚と同等の厚さとしてもよい。
また、脚部１０３のベースプレート１０５にねじ込んだ係合部材２１０に連結プレート２００を係合させるのではなく、脚部１０３の支持脚１０６自体に連結プレート２００の連結部２０１を係合させるようにしてもよい。
【００８８】
また、パネル体１１、１１どうしを上部連結部材６１、下部連結部材５５により連結したが、パネル体１１どうしは連結しなくてもよい。その場合、ソファ１０１の後部の脚部１０３において、前部と同様にして、連結プレート２００により互いに隣接するソファ１０１，１０１どうしを連結してもよい。
【００８９】
また、図２３に示すように、パネル体１１、１１どうしを連結する下部連結部材５５を、連結プレート２００と同様、少なくとも一端部に、互いに隣接する二つのパネル体１１、１１どうしを接近させる方向にクッション材１３を圧縮変形させた状態で、パネル体１１の連結ボルト５９に係合・離脱可能とされ、圧縮変形したクッション材１３が復元する方向に変形した状態で、パネル体１１の連結ボルト５９に対する係合状態が拘束される連結部２０１を備えるようにしてもよい。
【００９０】
また、ソファ１０１については、いかなる構成としてもよい。例えば、背凭れ部１０４を、背凭れ板１０８と背凭れクッション１０９とを備え、背凭れ板１０８にパネル体１１を装着するようにしたが、これに限らない。パネル体１１や背凭れクッション１０９を備えず、座面部１０２の後端部から上方に向けて延びる背凭れ部を座面部１０２と一体に形成してもよい。
【００９１】
例えば、上記実施形態においては、パネル体１１の構成について説明したが、パネル体１１はいかなる構成であってもよい。パネル基材１２を、芯材１５、フレーム２０、およびベースシート１８から形成したが、これに限るものではない。例えば、単体で所要の強度を確保できるのであれば、例えば、樹脂材料等からなるパネルをそのままパネル基材１２としてもよい。
また、クッション材１３および表皮材１４を備えるようにしたが、クッション材１３および表皮材１４は必須の構成ではない。
【００９２】
さらに、上記実施形態では、ソファ１０１，１０１どうしを連結するソファシステム１００を例にあげたが、これに限らない。ソファ１０１と、サイドテーブルやキャビネット等、他の家具と連結する部分においても、同様の構成が適用できる。
これ以外にも、家具どうしの連結であれば、本発明を同様に適用できる。
これ以外にも、本発明の主旨を逸脱しない限り、上記実施の形態で挙げた構成を取捨選択したり、他の構成に適宜変更したりすることが可能である。
【符号の説明】
【００９３】
１１  パネル体
１１ｓ  外周端部
１１ｓ，１１ｓ  外周端部
１２  パネル基材
１３  クッション材
１４  表皮材
２０  フレーム
２０ｆ  表面
５５  下部連結部材
５９  連結ボルト
６１  上部連結部材
１００  ソファシステム（家具システム）
１０１  ソファ（家具）
１０２  座面部（家具本体）
１０２ａ  フレーム
１０２ｃ  クッション部
１０２ｆ  下面
１０３  脚部
１０４  背凭れ部
１０５  ベースプレート
１０６  支持脚
１０７  アジャスタ
１０９  クッション
２００  連結プレート（連結部材）
２０１  連結部
２０１ｃ  軸部（変位許容部）
２０２  挿入部
２０３  係合部
２０３ａ  係合凹部
２０５  連結孔（連結部）
２１０  係合部材
２１０ｃ  軸部
【図１】
2015142683.tif 000003
【図２】
2015142683.tif 000004
【図３】
2015142683.tif 000005
【図４】
2015142683.tif 000006
【図５】
2015142683.tif 000007
【図６】
2015142683.tif 000008
【図７】
2015142683.tif 000009
【図８】
2015142683.tif 000010
【図９】
2015142683.tif 000011
【図１０】
2015142683.tif 000012
【図１１】
2015142683.tif 000013
【図１２】
2015142683.tif 000014
【図１３】
2015142683.tif 000015
【図１４】
2015142683.tif 000016
【図１５】
2015142683.tif 000017
【図１６】
2015142683.tif 000018
【図１７】
2015142683.tif 000019
【図１８】
2015142683.tif 000020
【図１９】
2015142683.tif 000021
【図２０】
2015142683.tif 000022
【図２１】
2015142683.tif 000023
【図２２】
2015142683.tif 000024
【図２３】
2015142683.tif 000025